(57)【特許請求の範囲】
【請求項１】
無線通信装置との近距離無線通信により、前記無線通信装置のネットワーク内識別情報および物理アドレスを取得するとともに前記無線通信装置の応答手段を起動させる識別情報取得部と、
予め接続している外部アクセスポイントを介して、前記ネットワーク内識別情報に対応する物理アドレスを要求し、前記応答手段から前記物理アドレスを含む応答を受信すると、前記近距離無線通信により取得した物理アドレスおよび前記受信した応答に基づき、前記ネットワーク内識別情報に対応する無線通信装置が、前記外部アクセスポイントを介したネットワーク上にあるか否かを判定する接続判定部と、
前記判定結果に応じて、前記外部アクセスポイントを介さずに前記無線通信装置と無線接続するか、前記外部アクセスポイントを介して前記無線通信装置と無線接続するかを選択する接続選択部と、
前記選択された無線接続により前記無線通信装置との無線通信を行う通信制御部と、
を備える無線通信端末。
【請求項２】
前記識別情報取得部は、前記ネットワーク内識別情報として前記無線通信装置の論理アドレスと第一物理アドレスを前記近距離無線通信により取得し、
前記接続判定部は、前記論理アドレスに対応する第二物理アドレスを前記外部アクセスポイントを介した無線通信により取得し、前記第一物理アドレスと前記第二物理アドレスとを照合し、前記第一物理アドレスと前記第二物理アドレスとが一致する場合には、前記アクセスポイントを介して前記無線通信装置と無線接続可能と判定し、
前記接続選択部は、前記外部アクセスポイントを介して前記無線通信装置と無線接続可能でない場合には、前記外部アクセスポイントを介さずに前記無線通信装置と無線接続する、
請求項１に記載の無線通信端末。
【請求項３】
前記識別情報取得部は、前記無線通信装置の前記ネットワーク内識別情報とともに前記無線通信装置のネットワーク識別情報を取得し、
前記接続選択部は、前記外部アクセスポイントを介して前記無線通信装置と無線接続可能でない場合には、前記外部アクセスポイントを介さずに前記ネットワーク識別情報を用いて前記無線通信装置のネットワークに無線接続する、
請求項１または２に記載の無線通信端末。
【請求項４】
前記接続判定部は、前記外部アクセスポイントを介して前記無線通信装置と無線接続可能か否かと、前記外部アクセスポイントを介さずに前記無線通信装置と無線接続可能か否かとを判定し、
前記接続選択部は、前記外部アクセスポイントを介して前記無線通信装置と無線接続可能であって前記外部アクセスポイントを介さずに前記無線通信装置と無線接続可能でない場合、前記外部アクセスポイントを介して前記無線通信装置と無線接続する、
請求項１から３のいずれか一項に記載の無線通信端末。
【請求項５】
前記接続判定部は、前記外部アクセスポイントを介さない前記無線通信装置の無線接続状態を示す接続状態情報を取得し、前記接続状態情報に基づいて前記外部アクセスポイントを介さずに前記無線通信装置と無線接続可能か否かを判定する、
請求項４に記載の無線通信端末。
【請求項６】
無線通信端末と無線通信装置との無線通信を行う無線通信システムであって、
前記無線通信装置は、
前記アクセスポイントからの問い合わせに応答する応答手段と、
前記近距離無線通信に応じて前記応答手段を起動する起動手段と、
を備え、
前記無線通信端末は、
前記無線通信装置との近距離無線通信により前記無線通信装置のネットワーク内識別情報および物理アドレスを取得する識別情報取得部と、
予め接続している外部アクセスポイントを介して、前記ネットワーク内識別情報に対応する物理アドレスを要求し、前記応答手段から前記物理アドレスを含む応答を受信すると、前記近距離無線通信により取得した物理アドレスおよび前記受信した応答に基づき、前記ネットワーク内識別情報に対応する無線通信装置が、前記外部アクセスポイントを介したネットワーク上にあるか否かを判定する接続判定部と、
前記判定結果に応じて、前記外部アクセスポイントを介さずに前記無線通信装置と無線接続するか、前記外部アクセスポイントを介して前記無線通信装置と無線接続するかを選択する接続選択部と、
前記選択された無線接続により前記無線通信装置との無線通信を行う通信制御部と、
を備える無線通信システム。
【請求項７】
無線通信装置との近距離無線通信により、前記無線通信装置のネットワーク内識別情報および物理アドレスを取得するとともに前記無線通信装置の応答手段を起動させる識別情報取得部と、  
予め接続している外部アクセスポイントを介して、前記ネットワーク内識別情報に対応する物理アドレスを要求し、前記応答手段から前記物理アドレスを含む応答を受信すると、前記近距離無線通信により取得した物理アドレスおよび前記受信した応答に基づき、前記ネットワーク内識別情報に対応する無線通信装置が、前記外部アクセスポイントを介したネットワーク上にあるか否かを判定する接続判定部と、
前記判定結果に応じて、前記外部アクセスポイントを介さずに前記無線通信装置と無線接続するか、前記外部アクセスポイントを介して前記無線通信装置と無線接続するかを選択する接続選択部と、
前記選択された無線接続により前記無線通信装置との無線通信を行う通信制御部、としてコンピューターを機能させる無線通信プログラム。
【発明の詳細な説明】
【技術分野】
【０００１】
本発明は無線通信端末、無線通信システムおよび無線通信プログラムに関する。
【背景技術】
【０００２】
近年、ＮＦＣ（Near Field radio Communication）などの近距離無線通信技術が普及している。通信速度が遅い近距離無線通信は、例えば、通信速度が速い無線ＬＡＮなどの無線通信ネットワークを介して携帯型通信端末をプリンターなどに接続するための情報を取得するのに用いられている。
【先行技術文献】
【特許文献】
【０００３】
【特許文献１】特開２００９−１３５８６５号公報
【発明の概要】
【発明が解決しようとする課題】
【０００４】
ところでプリンターなどの無線通信装置がアクセスポイントの無線通信ネットワークに接続されている状態において無線通信装置との近距離無線通信をトリガーとしてアクセスポイントを介さずに携帯型無線通信端末をその無線通信装置に自動で無線接続してしまうと、プリンターは無線通信ネットワークに接続しているにもかかわらずに、無線通信装置とアクセスポイントを介さない無線接続を新たに確立することになる。
【０００５】
本発明は、このような問題を解決するために創作されたものであって、近距離無線通信をトリガーとして無線通信端末と無線通信装置との無線接続を適切に行うことができる技術の提供を目的の一つとする。
【課題を解決するための手段】
【０００６】
（１）上記目的を達成するための無線通信端末は、無線通信装置との近距離無線通信により前記無線通信装置のネットワーク内識別情報を取得する識別情報取得部と、予め接続している外部アクセスポイントに前記ネットワーク内識別情報を無線送信し、前記ネットワーク内識別情報の送信に対する応答を受信すると、前記受信した応答に基づき、前記ネットワーク内識別情報に対応する無線通信装置が、前記外部アクセスポイントを介したネットワーク上にあるか否かを判定する接続判定部と、前記判定結果に応じて、前記外部アクセスポイントを介さずに前記無線通信装置と無線接続するか、前記外部アクセスポイントを介して前記無線通信装置と無線接続するかを選択する接続選択部と、前記選択された無線接続により前記無線通信装置との無線通信を行う通信制御部と、を備える。
本発明によると、無線通信装置と近距離無線通信した場合であっても、アクセスポイントを介して無線通信装置と無線接続可能か否かを判定した後に、アクセスポイントを介さずに無線通信装置と無線接続するか否かを選択するため、アクセスポイントを介さない無線通信装置との無線接続を適切に確立することができる。
【０００７】
（２）アクセスポイントと無線通信端末が接続可能であっても、アクセスポイントに無線通信装置が接続されていない場合には、アクセスポイントを介して携帯型無線通信端末は無線通信装置に無線接続することができない。そこで、上記目的を達成する無線通信端末において、前記識別情報取得部は、前記ネットワーク内識別情報として前記無線通信装置の論理アドレスと第一物理アドレスを前記近距離無線通信により取得し、前記接続判定部は、前記論理アドレスに対応する第二物理アドレスを前記外部アクセスポイントを介した無線通信により取得し、前記第一物理アドレスと前記第二物理アドレスとを照合し、前記第一物理アドレスと前記第二物理アドレスとが一致する場合には、前記アクセスポイントを介して前記無線通信装置と無線接続可能と判定し、前記接続選択部は、前記外部アクセスポイントを介して前記無線通信装置と無線接続可能でない場合には、前記外部アクセスポイントを介さずに前記無線通信装置と無線接続してもよい。
この構成を採用することにより、アクセスポイントを介して無線通信装置に接続できるか否かを正確に判定できる。
【０００８】
（３）上記目的を達成する無線通信端末において、前記識別情報取得部は、前記無線通信装置の前記ネットワーク内識別情報とともに前記無線通信装置のネットワーク識別情報を取得し、前記接続選択部は、前記外部アクセスポイントを介して前記無線通信装置と無線接続可能でない場合には、前記外部アクセスポイントを介さずに前記ネットワーク識別情報を用いて前記無線通信装置のネットワークに無線接続してもよい。
この構成を採用することにより、ユーザーはアクセスポイントを介さずに無線通信装置に携帯型無線通信端末を容易に接続できるようになる。ここで無線通信装置のネットワーク識別情報は、無線通信装置のアクセスポイント（内部アクセスポイント）としての識別名を含む。
【０００９】
（４−５）アクセスポイントを介さずに無線接続する機能が無線通信装置に備わっていても、常に、アクセスポイントを介さずに無線通信端末を無線通信装置に接続できる保証はない。例えば一般に、アクセスポイントを介さずに無線通信装置と無線接続できる無線通信端末の数には制限がある。そこで、上記目的を達成するための無線通信端末において、前記接続判定部は、前記外部アクセスポイントを介して前記無線通信装置と無線接続可能か否かと、前記外部アクセスポイントを介さずに前記無線通信装置と無線接続可能か否かとを判定し、前記接続選択部は、前記外部アクセスポイントを介して前記無線通信装置と無線接続可能であって前記外部アクセスポイントを介さずに前記無線通信装置と無線接続可能でない場合、前記外部アクセスポイントを介して前記無線通信装置と無線接続してもよい。またさらに、前記接続判定部は、前記外部アクセスポイントを介さない前記無線通信装置の無線接続状態を示す接続状態情報を取得し、前記接続状態情報に基づいて前記外部アクセスポイントを介さずに前記無線通信装置と無線接続可能か否かを判定してもよい。
この構成を採用することにより、アクセスポイントを介さずに無線通信装置と無線接続可能か否かを判定した後に、アクセスポイントを介さずに無線通信装置と無線接続するため、アクセスポイントを介さずに無線通信装置と無線接続する時間のロスを低減することができる。
【００１０】
（６）上記目的を達成するための無線通信システムは、近距離無線通信により無線通信装置のネットワーク内識別情報を取得する識別情報取得部と、前記ネットワーク内識別情報をアクセスポイントに無線送信し、前記アクセスポイントを介して前記無線通信装置と無線接続可能か否かを判定する接続判定部と、前記判定結果に応じて、前記アクセスポイントを介さずに前記無線通信装置と無線接続するか、前記アクセスポイントを介して前記無線通信装置と無線接続するかを選択する接続選択部と、を備える無線通信端末と、前記アクセスポイントからのＳＮＭＰ（Simple Network Management Protocol）による問い合わせに応答する応答手段と、前記近距離無線通信に応じて前記応答手段を起動する起動手段と、を備える無線通信装置と、を含む。
本発明によると、アクセスポイントを介さずに無線通信装置と無線接続する時間のロスを低減することができる。また、無線通信装置においてＳＮＭＰによる問い合わせに応答する応答手段の待機電力を低減することができる。
【００１１】
なお、請求項に記載された各手段の機能は、構成自体で機能が特定されるハードウェア資源、プログラムにより機能が特定されるハードウェア資源、又はそれらの組み合わせにより実現される。また、これら各手段の機能は、各々が物理的に互いに独立したハードウェア資源で実現されるものに限定されない。さらに、本発明は、無線通信プログラムまたはその記録媒体としても成立する。むろん、その記録媒体は、磁気記録媒体であってもよいし光磁気記録媒体であってもよいし、今後開発されるいかなる記録媒体であってもよい。
【図面の簡単な説明】
【００１２】
【図１】本発明の実施例にかかる無線通信システムのネットワーク構成図である。
【図２】本発明の実施例にかかるスマートフォンのブロック図である。
【図３】本発明の実施例にかかるプリンターのブロック図である。
【図４】本発明の実施例にかかる無線接続シーケンスのシーケンスチャートである。
【図５】本発明の実施例にかかる接続判定の処理のフローチャートである。
【図６】本発明の実施例にかかる画面構成図である。
【発明を実施するための形態】
【００１３】
以下、本発明の実施の形態を添付図面を参照しながら説明する。尚、各図において対応する構成要素には同一の符号が付され、重複する説明は省略される。
【００１４】
１．無線通信システムの構成
図１に、無線通信端末の一実施例としてのスマートフォン１と無線通信装置の一実施例としてのプリンター２とアクセスポイント３とを含む無線通信システムを示す。アクセスポイント３は、無線ＬＡＮプロトコル（ＩＥＥＥ８０２．１１）で外部機器を相互に無線接続する中継局である。
【００１５】
図２に示すように、無線通信端末としてのスマートフォン１は、無線ＬＡＮプロトコルで外部機器と通信するための無線ＬＡＮ通信部１３、ＮＦＣプロトコル（ＩＳＯ／ＩＥＣ１８０９２）で外部機器と通信するためのＮＦＣ通信部１４、コンピューターで構成された制御部１２、並びに、タッチパネルディスプレイ１１を備えている。制御部１２は、主記憶装置であるＲＡＭ、外部記憶装置であるフラッシュメモリ、プロセッサおよび入出力機構を備え、フラッシュメモリに記憶された無線通信プログラムをＲＡＭにロードしてプロセッサで実行することにより、識別情報取得部、接続判定部、接続選択部、通信制御部として機能する。
【００１６】
図３に示すように、無線通信装置としてのプリンター２は、タッチパネルディスプレイ２１、コンピューターで構成された制御部２２、無線ＬＡＮプロトコルで外部機器と通信するための無線ＬＡＮ通信部２３、ＮＦＣプロトコルに従い外部機器と通信するＮＦＣ通信部２４、印刷媒体に印刷を施す印刷機構２６、並びに、電源制御部２５を備えている。
【００１７】
制御部２２は、主記憶装置であるＲＡＭ、外部記憶装置であるフラッシュメモリ、プロセッサおよび入出力機構を備え、応答手段および起動手段として機能する。電源制御部２５は、無線ＬＡＮ通信部２３、ＮＦＣ通信部２４、制御部２２、タッチパネルディスプレイ２１、印刷機構２６に供給する電力を制御する回路であって、起動手段として機能する。
【００１８】
無線ＬＡＮ通信部２３は、アクセスポイント３を介して外部機器と無線接続する機能と、アクセスポイント３を介さずに外部機器と無線接続する機能とを有する。無線ＬＡＮ通信部２３は、アクセスポイント３を介さずに外部機器と無線接続するとき、外部機器にとってのアクセスポイント（内部アクセスポイント）として機能する。すなわち、プリンター３は、アクセスポイント３が親となるネットワークに接続された通信端末とインフラストラクチャモードで無線接続することもできるし、自分自身が親となって他の通信端末とピアツーピアの無線接続することもできる。
【００１９】
ＮＦＣ通信部２４は、例えば、ＮＦＣ規格に従う通信を行うよう構成されたＮＦＣタグである。ＮＦＣ通信部２４のタグ内部の記憶媒体には、制御部２２によってプリンター２の接続情報が書き込まれている。接続情報は、プリンター２のネットワーク内識別情報としてのＩＰアドレス（論理アドレス）とＭＡＣアドレス（第一物理アドレス）と、プリンター２のネットワーク識別情報としてのＳＳＩＤ（Service Set Identifier）とパスワードとを含む。また、ＮＦＣ通信部２４のタグ内部の記憶媒体は制御部１２によって書き換え可能に構成されており、プリンター２にＩＰアドレスが割り当てられると、制御部１２は当該ＩＰアドレスをタグ内部の記憶媒体に書き込むようになっている。なお、本実施形態では、ＮＦＣ通信部２４はＮＦＣタグであるものとして説明することとするが、ＮＦＣ通信部２４としてはリーダー／ライターであってもよい。
【００２０】
２．無線通信システムの作動
次に図４から図６を参照しながら上述した無線通信システムによる無線接続シーケンスついて説明する。図４に示す無線接続シーケンスの処理は、ユーザーがスマートフォン１のＮＦＣ通信部１４をプリンター２のＮＦＣ通信部２４にかざすことによって開始される。
【００２１】
スマートフォン１のＮＦＣ通信部１４は、プリンター２のＮＦＣ通信部２４に接近することによりＮＦＣ通信部１４，２４間でＮＦＣ通信の接続が確立すると、プリンター２のＮＦＣ通信部２４から接続情報を読み取る（Ｓ１）。接続情報には、上述したように、プリンター２のＩＰアドレスと、ＭＡＣアドレスと、プリンター２のＳＳＩＤ（Service Set Identifier）とパスワードとが含まれている。
【００２２】
ここで、ユーザーがスマートフォン１のＮＦＣ通信部１４をプリンター２のＮＦＣ通信部２４にかざすときにプリンター２が省電力モードで動作していて、ＳＮＭＰエージェントが起動していない場合、プリンター２のＮＦＣ通信部２４がスマートフォン１のＮＦＣ通信部１４と通信すると、制御部２２および電源制御部２５は、ＳＮＭＰエージェントを起動する（Ｓ２）。具体的には、制御部２２はモードを変更して動作周波数を変更するとともにＳＮＭＰエージェントを起動し、電源制御部２５は変更されたモードに応じた電力を制御部２２に供給する。ＳＮＭＰエージェントを起動することにより、ＳＮＭＰマネージャとしてのアクセスポイント３からＭＩＢ（Management Information Base）の情報を要求された場合には、制御部２２はその要求に応答することが可能となる。このように、プリンター２のＮＦＣ通信部２４がスマートフォン１のＮＦＣ通信部１４と通信するとＳＮＭＰエージェントを起動するため、プリンター２のＮＦＣ通信部２４がスマートフォン１のＮＦＣ通信部１４と通信するまではＳＮＭＰエージェントを起動しておく必要がない。したがって、プリンター２の消費電力を低減することができる。
【００２３】
スマートフォン１は、プリンター２から接続情報を読み取ると、アクセスポイント３に対して問い合わせを行い（Ｓ３）、アクセスポイント３を介さずにプリンター２と無線接続するか、アクセスポイント３を介してプリンター２と無線接続するかを受信した応答に基づいて選択する（Ｓ４）。図５はステップＳ３およびＳ４の処理の詳細を示したフローチャートである。以下、図４および図５を参照しながら接続判定の処理について詳細に説明する。
【００２４】
スマートフォン１がＮＦＣ通信によってプリンター２から接続情報を取得すると、図５に示すように、スマートフォン１は、アクセスポイント３の無線ネットワーク上にあってプリンター１から取得したＩＰアドレスに対応する機器のＭＡＣアドレス（第二物理アドレス）をアクセスポイント３に対して問い合わせる（Ｓ３１）。具体的には、スマートフォン１は取得した接続情報に含まれるＩＰアドレスをＳＮＭＰでアクセスポイント３に送信すればよい。
【００２５】
スマートフォン１からＩＰアドレスとともにＭＡＣアドレスの問い合わせを受信すると、アクセスポイント３は、図４に示すようにＩＰアドレスに対応するＭＡＣアドレスを、ＩＰアドレスが一致する端末にＳＮＭＰで問い合わせる。このとき、アクセスポイント３にプリンター２が有線又は無線で接続されていれば、スマートフォン１がプリンター２から取得したＩＰアドレスと、アクセスポイント３のネットワーク内識別情報としてプリンター２に割り当てられているＩＰアドレスとが一致するため、プリンター２に対してＭＡＣアドレスが問い合わせられる（Ｓ３２）。その結果、アクセスポイント３は、プリンター２のＭＡＣアドレスを取得する（Ｓ３３）。
【００２６】
また、スマートフォン１が無線接続しているアクセスポイント３の通信ネットワークにプリンター２が接続していない場合であって、当該通信ネットワーク上に、プリンター２と同じＩＰアドレスが割り当てられた機器が存在していたときには、スマートフォン１は、プリンター２とは別の機器のＭＡＣアドレスを取得することになる。アクセスポイント３は、問い合わせの応答として取得したＭＡＣアドレスをスマートフォン１に送信する（Ｓ３４）。
【００２７】
なお、アクセスポイント３にプリンター２が有線又は無線で接続されていなかった場合には、プリンター２に対してＭＡＣアドレスの問い合わせが届かないので、アクセスポイント３はプリンター２のＭＡＣアドレスを取得できないこととなる。
【００２８】
スマートフォン１は、ＮＦＣ通信によりプリンター２から取得したＩＰアドレスをアクセスポイント３に無線送信した後にその応答を受信する、またはＩＰアドレスの送信後に所定時間が経過すると、ＭＡＣアドレスを取得できたか否かを判定する（Ｓ４１〜Ｓ４５）。
【００２９】
ＭＡＣアドレスを取得できない場合、アクセスポイント３にプリンター２が有線又は無線で接続されていないため、スマートフォン１はアクセスポイント３を経由せずに直接プリンター２に無線ＬＡＮプロトコルで接続する（Ｓ４５）。このとき、スマートフォン１の制御部１２は、ＮＦＣでプリンター２から取得したプリンター２のＳＳＩＤとパスワードとを用いてプリンター２の内部アクセスポイントに無線ＬＡＮプロトコルで接続し、ＮＦＣ通信をトリガーとする一連の無線接続シーケンスを終了する。なおアクセスポイント３を経由せずに直接プリンター２に無線ＬＡＮプロトコルで接続するとき、図６Ｂに示すようなメッセージをタッチパネルディスプレイ１１に表示しても良い。
【００３０】
ＭＡＣアドレスを取得できた場合、スマートフォン１の制御部１２はプリンター２から取得したＭＡＣアドレスとアクセスポイント３から取得したＭＡＣアドレスとが一致するか否かを判定する（Ｓ４２）。プリンター２がアクセスポイント３に接続されている場合には、プリンター２から取得するプリンター２のＩＰアドレスとアクセスポイント３のネットワーク内識別情報としてのプリンター２のＩＰアドレスは一致するため、プリンター２から取得したＭＡＣアドレスとアクセスポイント３から取得したＭＡＣアドレスとが一致する。
【００３１】
しかし、上述したように、アクセスポイント３からＭＡＣアドレスを取得できても、プリンター２がアクセスポイント３に接続されていない場合には、アクセスポイント３が管理している別の通信端末のＩＰアドレスに対応するＭＡＣアドレスがアクセスポイント３からスマートフォン１に送信される。このため、プリンター２から取得したＭＡＣアドレスとアクセスポイント３から取得したＭＡＣアドレスとは一致しない。
【００３２】
プリンター２から取得したＭＡＣアドレスとアクセスポイント３から取得したＭＡＣアドレスとが一致しない場合、アクセスポイント３にプリンター２が有線又は無線で接続されていないため、スマートフォン１はアクセスポイント３を経由せずに直接プリンター２に無線ＬＡＮプロトコルで接続し（Ｓ４５）、ＮＦＣ通信をトリガーとする一連の無線接続シーケンスを終了する。
【００３３】
プリンター２から取得したＭＡＣアドレスとアクセスポイント３から取得したＭＡＣアドレスとが一致する場合、アクセスポイント３にプリンター２が有線又は無線で接続されているため、スマートフォン１とプリンター２とを直接接続しなくてもスマートフォン１はアクセスポイント３を介してプリンター２と無線通信可能である。そこでスマートフォン１の制御部１２は、アクセスポイント経由で接続済みであることを案内し、直接接続に切り換えるか否かをユーザーに問い合わせる画面をタッチパネルディスプレイ１１に表示する（Ｓ４３）。
【００３４】
図６Ａに、この画面の構成例を示す。スマートフォン１の制御部１２は、アイコン１１ａが選択されたか、アイコン１１ｂが選択されたかを検出し、検出結果に応じて直接接続に切り換えるか否かを判定する（Ｓ４４）。
【００３５】
ユーザーがタッチパネルディスプレイ１１を操作して接続を切り換える選択をすると、スマートフォン１の制御部１２は、アクセスポイント３を経由せずに直接プリンター２に無線ＬＡＮプロトコルで接続し（Ｓ４５）、ＮＦＣ通信をトリガーとする一連の無線接続シーケンスを終了する。
【００３６】
ユーザーがタッチパネルディスプレイ１１を操作して接続を切り換えない選択をすると、スマートフォン１の制御部１２は、接続の切換を行わずに、ＮＦＣ通信をトリガーとする一連の無線接続シーケンスを終了する。
【００３７】
無線接続処理が終了した状態では、スマートフォン１とプリンター２とは、アクセスポイント３を経由して、またはアクセスポイント３を経由せずに直接、無線通信することが可能である。
【００３８】
３．他の実施形態
尚、本発明の技術的範囲は、上述した実施例に限定されるものではなく、本発明の要旨を逸脱しない範囲内において種々変更を加え得ることは勿論である。例えば、上記実施例では、プリンターのネットワーク内識別情報としてのＩＰアドレスを用いて、そのＩＰアドレスに対応する機器のＭＡＣアドレスをＳＮＭＰを用いて問い合わせたが、プリンターのネットワーク内識別情報としてのＭＡＣアドレスをアクセスポイントに送信し、当該ＭＡＣアドレスの通信装置がアクセスポイントに接続されているか否かを問い合わせてもよい。
【００３９】
また上記実施例では、アクセスポイントを介してプリンターとスマートフォンとを無線接続可能であると判定した後に、ユーザーに対してアクセスポイントを介さずにプリンターとスマートフォンとを直接無線接続するか否かを問い合わせることとしたが、アクセスポイントを介してプリンターとスマートフォントを無線接続可能である場合には、ユーザーに問い合わせて、プリンターとスマートフォンとを直接無線接続する選択を行わせることなく、アクセスポイントを介した無線接続を行うようにしてもよい。このようにすれば、スマートフォンに予め設定されていた無線接続状態を変えることなく、簡単な操作でプリンターとスマートフォンとを無線接続できるようになる。例えば、アクセスポイントを介した無線接続と直接無線接続とを排他的に行うよう構成されたスマートフォンであっても、ＮＦＣ通信をトリガーとしてアクセスポイントを介した無線接続から直接無線接続に切り替えてしまうことによって、アクセスポイントを介した無線接続が切断されてしまい、この無線ネットワークに接続した他の機器と無線通信できなくなるということがない。
【００４０】
また、近距離無線通信のプロトコルは、ＩＳＯ／ＩＥＣ１４４４３、ＩＳＯ／ＩＥＣ１５６９３、ＩＳＯ／ＩＥＣ２１４８１などでもよい。また、無線通信装置は、プリンターに限らず、近距離無線通信機能とアクセスポイントを介した通信機能とを備えていれば良く、スキャナーでもよいし、プロジェクターでも良いし、カメラでも良いし、他のスマートデバイスでも良い。また無線通信装置における近距離無線通信以外の通信機能としては、アクセスポイントと通信できればよく、アクセスポイントと有線ネットワークで接続されるものであってもよい。また携帯型無線通信端末も、スマートフォンに限らず、近距離無線通信機能とアクセスポイントを介した通信機能とを備えていれば良く、タブレット端末でもよい。
【００４１】
また上記実施例では、アクセスポイントを介してプリンターとスマートフォンを無線接続可能でない場合には、アクセスポイントを介さずにプリンターにスマートフォンを直接無線接続する処理を実行したが、アクセスポイントを介さずに携帯型無線通信端末と無線通信装置と無線接続可能か否かを判定し、アクセスポイントを介さずに無線通信装置と無線接続可能でない場合には、アクセスポイントを介さずに無線通信装置に携帯型無線通信端末を直接無線接続する処理を実行しないようにしてもよい。
【００４２】
具体的には例えば次の通りである。スマートフォン１は、プリンター２からＮＦＣで接続情報を取得するとき、アクセスポイント３を介さないプリンター２の無線接続状態、すなわちアクセスポイントとしてのプリンター３に無線通信端末が直接無線接続している状態を示す接続状態情報を接続情報とともに取得する。直接無線接続の追加の可否、直接無線接続している端末の数、直接無線接続を追加可能な端末の数などをこのような接続状態情報として用いることができる。続いてスマートフォン１は、接続状態情報に基づいて、スマートフォン１をプリンター２に直接無線接続可能か否かを判定する。スマートフォン１をプリンター２に直接無線接続可能でない場合には、スマートフォン１はアクセスポイント３を経由せずに直接プリンター２に無線ＬＡＮプロトコルで接続することなく、ＮＦＣ通信をトリガーとする一連の無線接続処理を終了すればよい。スマートフォン１をプリンター２に直接無線接続可能である場合には、上述したステップＳ３１からＳ４１の処理を実行すればよい。
【符号の説明】
【００４３】
１…スマートフォン、２…プリンター、３…アクセスポイント、１１…タッチパネルディスプレイ、１１ａ…アイコン、１１ｂ…アイコン、１２…制御部、１３…無線ＬＡＮ通信部、１４…ＮＦＣ通信部、２１…タッチパネルディスプレイ、２２…制御部、２３…無線ＬＡＮ通信部、２４…ＮＦＣ通信部、２５…電源制御部
【図１】
0006682862.tif 000002
【図２】
0006682862.tif 000003
【図３】
0006682862.tif 000004
【図４】
0006682862.tif 000005
【図５】
0006682862.tif 000006
【図６】
0006682862.tif 000007